(57)【要約】 【課題】ＢＤ用の光ディスクを記録再生する際に、レーザダイオード駆動回路側にある周波数補償回路の特性が固定であっても、レーザダイオードの動作抵抗Ｒｄのばらつきに依らず、レーザダイオードの光周波数特性を常に所定の範囲内とする補償を行うこと。【解決手段】レーザダイオード駆動回路１により低インピーダンスの伝送線路を介してレーザダイオード３を駆動し、且つ、レーザダイオード３の光周波数特性をレーザダイオード駆動回路１側に元々付加されている定数固定の補償回路とレーザダイオード３の両端に接続されるＣ１，Ｒ１から成る補償回路によりレーザダイオード３の光周波数特性が常に所定の範囲に入るように補償し、且つ、Ｃ１とＲ１の値を前記レーザダイオード３の動作抵抗に応じて設定する。【選択図】図１
2006179575.tif 000002
【特許請求の範囲】
【請求項１】
レーザダイオード駆動回路により駆動されるレーザダイオードから出射されるレーザを光ディスクに照射して情報を記録再生する光ディスク記録再生装置であって、
前記レーザダイオードの両端に接続され、当該レーザダイオードの光周波数特性が常に所定の範囲内に入るように補償する補償回路と、
前記レーザダイオード駆動回路と前記レーザダイオードを接続する低インピーダンスの伝送線路と、
を具備することを特徴とする光ディスク記録再生装置。
【請求項２】
前記レーザダイオード駆動回路は前記レーザダイオードの光周波数特性を補償する定数固定の補償回路を備えていることを特徴とする請求項１記載の光ディスク記録再生装置。
【請求項３】
前記レーザダイオードの両端に接続される補償回路の定数は、前記レーザダイオードの動作抵抗に応じて設定することを特徴とする請求項１記載の光ディスク記録再生装置。
【請求項４】
前記レーザダイオードの両端に接続される補償回路は容量と抵抗を直列接続して構成し、且つ、その容量値と抵抗値を前記レーザダイオードの動作抵抗に応じて設定することを特徴とする請求項３記載の光ディスク記録再生装置。
【請求項５】
前記伝送線路はパターン化された平行２線路であることを特徴とする請求項１記載の光ディスク記録再生装置。
【請求項６】
前記レーザ光の波長は４０５から４１５ｎｍで、前記光ディスクはブルーレイディスク用であることを特徴とする請求項１記載の光ディスク記録再生装置。
【請求項７】
レーザダイオード駆動回路により駆動されるレーザダイオードから出射されるレーザを光ディスクに照射して情報を記録再生する光ディスク記録再生方法であって、
前記レーザダイオード駆動回路により前記レーザダイオードを低インイピーダンスの伝送線路を介して駆動し、且つ、前記レーザダイオード駆動回路に設けられている前記レーザダイオードの光周波数特性を補償する第１の補償回路と前記レーザダイオードの両端に接続された同レーザダイオードの光周波数特性を補償する第２の補償回路とにより、前記レーザダイオードの光周波数特性が常に所定の範囲内に入るように補償することを特徴とする光ディスク記録再生方法。
【請求項８】
前記補償回路は容量と抵抗を直列接続して構成し、且つ、その容量値と抵抗値を前記レーザダイオードの動作抵抗に応じて設定することを特徴とする請求項７記載の光ディスク記録再生方法。
【請求項９】
前記伝送線路はパターン化された平行２線路であることを特徴とする請求項７記載の光ディスク記録再生方法。
【請求項１０】
前記レーザ光の波長は４０５から４１５ｎｍで、前記光ディスクはブルーレイディスク用であることを特徴とする請求項７記載の光ディスク記録再生方法。
【発明の詳細な説明】
【技術分野】
【０００１】
本発明は、ブルーレイディスク（ＢＤ）用の光ディスク記録再生装置に係り、特に、レーザダイオードの光周波数特性の補償に関する。
【背景技術】
【０００２】
レーザダイオードを光ピックアップの光源として用いた従来の光ディスクの記録再生装置では、図６に示すようにレーザダイオード（ＬＤ）２１をレーザダイオード駆動回路２２が伝送路２３を介して駆動する（例えば特許文献１参照）。記録再生する光ディスクがＣＤやＤＶＤなどでは、レーザの波長が７８０ｎｍや６５０ｎｍくらいで、転送レートが１０Ｍｂ／ｓｅｃと遅かったので、記録時の光パルス帯域は１００ＭＨｚあれば十分であり、しかも、レーザダイオード２１の動作抵抗Ｒｄは５Ω程度で低いため、動作抵抗Ｒｄがばらついてもレーザダイオードの光周波数特性がばらつくことはなく、レーザダイオード駆動回路２２側にある一律の周波数補償回路で十分に所望の光周波数特性が得られた。
【０００３】
しかし、レーザの波長が４００〜４１５ｎｍのブルーレイディスクを記録再生する装置では、１倍速で３５Ｍｂｐｓ、２倍速で７０Ｍｂｐｓもの転送レートが要求されており、必要な光パルス帯域は３００〜５００ＭＨｚとなる。その上、ＢＤ用の光ディスク記録装置で用いられるレーザダイオード２１の動作抵抗Ｒｄは高くなり、しかも、この動作抵抗Ｒｄがばらつくと、図７に示すようにレーザダイオードの光周波数特性がばらつくことになる。尚、図７に示した複数の光周波数特性線のパラメータは異なる値の動作抵抗Ｒｄである。
【特許文献１】特開平１０−１４４８０１号公報  （第７頁、第８図）
【発明の開示】
【発明が解決しようとする課題】
【０００４】
上記のようにＢＤ用の光ディスク記録再生装置では、レーザダイオード２１の動作抵抗Ｒｄが高くなってそれがばらつくと、レーザダイオード駆動回路２２側にある一律（定数固定）の周波数補償回路では、レーザダイオードの光周波数特性を補償し切れず、光周波数特性がばらつくことになる。このため、光周波数特性が仕様からずれている場合には記録再生時にエラーが生じやすくなる。
【０００５】
本発明は前記事情に鑑み案出されたものであって、本発明の目的は、ＢＤ用の光ディスクを記録再生する際に、レーザダイオード駆動回路側にある周波数補償回路の特性が固定であっても、レーザダイオードの動作抵抗Ｒｄのばらつきに依らず、レーザダイオードの光周波数特性を常に所定の範囲内とする補償を行うことができる光ディスク記録再生装置及び方法を提供することにある。
【課題を解決するための手段】
【０００６】
本発明は上記目的を達成するため、レーザダイオード駆動回路により駆動されるレーザダイオードから出射されるレーザを光ディスクに照射して情報を記録再生する光ディスク記録再生装置であって、前記レーザダイオードの両端に接続される当該レーザダイオードの光周波数特性を補償する補償回路と、前記レーザダイオード駆動回路と前記レーザダイオードを接続する低インピーダンスの伝送線路とを具備することを特徴とする。
【０００７】
また、本発明の前記レーザダイオード駆動回路は前記レーザダイオードの光周波数特性を補償する定数固定の補償回路を備えていることを特徴とする。
【０００８】
また、本発明は、前記レーザダイオードの両端に接続される補償回路の定数は、前記レーザダイオードの動作抵抗に応じて設定することを特徴とする。
【０００９】
このように本発明では、レーザダイオード駆動回路により低インピーダンスの伝送線路を介してレーザダイオードを駆動し、且つ、レーザダイオードの光周波数特性をレーザダイオード駆動回路側にもともと付加されている定数固定の補償回路とレーザダイオードの両端に接続される補償回路によりレーザダイオードの光周波数特性が常に所定の範囲に入るように補償し、その際、レーザダイオードの両端に接続される補償回路の定数を当該レーザダイオードの動作抵抗に応じて設定することにより、ＢＤを記録再生する際にレーザダイオードの動作抵抗がばらついても、レーザダイオードの光周波数特性はばらつかず、常に所定の範囲内とすることができる。
【発明の効果】
【００１０】
本発明によれば、レーザダイオード駆動回路により低インピーダンスの伝送線路を介してレーザダイオードを駆動し、且つ、レーザダイオードの光周波数特性をレーザダイオード駆動回路側に元々付加されている定数固定の補償回路とレーザダイオードの両端に接続される補償回路によりレーザダイオードの光周波数特性が常に所定の範囲に入るように補償し、しかも、前記レーザダイオードの両端に接続される補償回路は容量と抵抗を直列接続して構成し、且つ、その容量値と抵抗値を前記レーザダイオードの動作抵抗に応じて設定することにより、ＢＤ用の光ディスクを記録再生する際に、レーザダイオード駆動回路側にある周波数補償回路の特性が固定であっても、レーザダイオードの動作抵抗Ｒｄのばらつきに依らず、レーザダイオードの光周波数特性を常に所定の範囲内とする補償を行うことができる。
【発明を実施するための最良の形態】
【００１１】
ＢＤ用の光ディスクを記録再生する際に、レーザダイオード駆動回路側にある周波数補償回路の特性が固定であっても、レーザダイオードの動作抵抗Ｒｄのばらつきに依らず、レーザダイオードの光周波数特性を常に所定の範囲内とする補償を常に行う目的を、レーザダイオード駆動回路により低インピーダンスの伝送線路を介してレーザダイオードを駆動し、且つ、レーザダイオードの光周波数特性をレーザダイオード駆動回路側に元々付加されている定数固定の補償回路とレーザダイオードの両端に接続される補償回路によりレーザダイオードの光周波数特性が常に所定の範囲に入るように補償し、しかも、前記レーザダイオードの両端に接続される補償回路は容量と抵抗を直列接続して構成し、且つ、その容量値と抵抗値を前記レーザダイオードの動作抵抗に応じて設定することによって実現した。
【実施例１】
【００１２】
図１は、本発明の一実施の形態に係る光ディスク記録再生装置のレーザダイオード駆動系の構成を示したブロック図である。光ディスク記録再生装置のレーザダイオード駆動系は、レーザダイオード駆動回路１と、ＢＤ用（波長４０７から４１５ｎｍ）のレーザダイオード３が伝送線路２により接続されて構成され、さらにレーザダイオード３の両端に容量Ｃ１と抵抗Ｒ１の直列回路から成る光周波数特性補償回路が並列に接続されている。
【００１３】
ここで、レーザダイオード駆動回路１は、トランジスタＴｒ１、Ｔｒ２、Ｔｒ３、Ｔｒ４、容量Ｃ２，抵抗Ｒ２，Ｒ３，Ｒ４，Ｒ５を有し、トランジスタＴｒ１とＴｒ２はカレントミラーを、トランジスタＴｒ３とＴｒ４もカレントミラー回路を構成し、容量Ｃ２と抵抗Ｒ２はレーザダイオード３の光周波数特性の補償回路を構成している。また、伝送線路２はパターン化された平行２本の低インピーダンスの伝送線路で、レーザダイオード駆動回路１とレーザダイオード３間の距離が３５ｍｍの場合、１０ｎＨ程度となっている。
【００１４】
次に本実施形態の動作について説明する。レーザダイオード駆動回路１は書き込み信号ＷＲｓｉｇが入力されると、これを増幅してレーザダイオード駆動信号とし、これを伝送線路２を介してレーザダイオード３に出力する。これにより、レーザダイオード３に駆動電流が流れて図２に示すような波形の発光特性が得られる。但し、図２の中でＰｐはピークパワーレベルを、Ｐｂはバイアスパワーレベルを、Ｐｃはクールパワーレベルを示している。
【００１５】
上記のようにレーザダイオード駆動回路１がレーザダイオード３を駆動する際に、レーザダイオード３の発光周波数特性は、レーザダイオード駆動回路１側の容量Ｃ２と抵抗Ｒ２から成る補償回路とレーザダイオード３の端子に接続された容量Ｃ１と抵抗Ｒ１から成る補償回路により、レーザダイオード３の動作抵抗Ｒｄのばらつき（１２Ω、１５Ω、１８Ω）に拘らず、図３に示すように補償されて、ほぼ同一の特性を有している。ここで、容量Ｃ１と抵抗Ｒ１から成る補償回路の定数は図４に示すようにレーザダイオード３の動作抵抗Ｒｄにより設定されている。
【００１６】
一方、レーザダイオード駆動回路１側の補償回路の容量Ｃ２と抵抗Ｒ２の値は常に同じで、レーザダイオード３の動作抵抗Ｒｄの値が何であっても一律の特性補償しかできない。しかし、本実施形態の場合は図４に示すようにレーザダイオード３の動作抵抗Ｒｄに応じて、レーザダイオード３の端子側に付加した補償回路の定数を変化させることにより、図３に示すように、レーザダイオード３の動作抵抗Ｒｄが１２Ωから１８Ωまでばらついていても、それぞれの発光周波数特性が所定の範囲内に入るようにレーザダイオード３の発光周波数特性を補償することができる。これにより、レーザダイオード３の動作抵抗Ｒｄの値に拘わらず、発光周波数特性が補償されるため、図２に示したＰｂ／Ｐｐの比を常に０．６に設定することができ、仕様通りの書き込みを行うことができる。
【００１７】
次にレーザダイオード駆動回路１とレーザダイオード３を接続する伝送線路２をパターン化した平行２線路にして、そのインピーダンスを低くしたことについて説明する。レーザダイオード駆動回路１とレーザダイオード３を接続すると、図５のレーザダイオード駆動系の等価回路に示すように接続線部にはインダクタンスＬが生じる。但し、図５中、Ｉは電流源、Ｃｏｕｔはレーザダイオード駆動回路の出力容量、Ｒｏｕｔはレーザダイオード駆動回路の出力抵抗、Ｌはレーザダイオード駆動回路とレーザダイオードを接続する接続線部のインダクタンス、Ｃｔはレーザダイオードの容量、Ｒｄはレーザダイオードの動作抵抗を示している。
【００１８】
ここで、例えば接続線部が単線で、接続部の距離が３５ｍｍであると、インダクタンスＬは７０ｎＨとなる。このように接続線部にインダクタンスがあり、しかも、レーザダイオード駆動回路側に出力容量（３３ｐＦ）があった場合、発光周波数特性に共振周波数が発生し、この共振周波数が必要な帯域内に入ってくると、上記した発光周波数特性の補償を実際上行うことが不可能になる。そこで、接続線部のインダクタンスＬをできるだけ小さくして、共振周波数を必要な帯域外にすることが必要不可欠である。そのため、本実施形態では、接続線部のインダクタンスをできるだけ低下させて共振周波数を必要な帯域外にするために、パターン化した平行２線路とし、接続部の距離が３５ｍｍである場合のインダクタンスＬを１０ｎＨとしている。
【００１９】
本実施の形態によれば、レーザダイオード３の動作抵抗Ｒｄに応じた定数を有する容量Ｃ１と抵抗Ｒ１から成る光周波数特性の補償回路をレーザダイオード３の両端に接続し、且つ、レーザダイオード３とレーザダイオード駆動回路１の接続線部をパターン化された低インダクタンスの平行２線路にすることにより、レーザダイオード駆動回路１側にある周波数補償回路は一律の固定のものであって、レーザダイオード３の動作抵抗Ｒｄがばらつく場合でも、レーザダイオード３の光周波数特性を所定の範囲内としてそのばらつきを無くすことができる。それ故、ＢＤを記録再生する際に、光周波数特性が仕様からずれることがなくなり、安定でエラーのない書込み読み出し動作を行うことができる。
【００２０】
尚、本発明は上記実施の形態に限定されることなく、その要旨を逸脱しない範囲において、具体的な構成、機能、作用、効果において、他の種々の形態によっても実施することができる。
【図面の簡単な説明】
【００２１】
【図１】本発明の一実施の形態に係る光ディスク記録再生装置のレーザダイオード駆動系の構成を示したブロック図である。
【図２】図１に示したレーザダイオードの発光波形例を示した図である。
【図３】図１に示した回路におけるレーザダイオードの発光周波数特性を示した図である。
【図４】図１に示したレーザダイオードの動作抵抗に応じたＣ１とＲ１の設定値を示した図である。
【図５】図１に示した回路の等価回路を示した図である。
【図６】従来の光ディスク記録再生装置のレーザ駆動系の構成を示したブロック図である。
【図７】従来のレーザダイオードの発光周波数特性を示した図である。
【符号の説明】
【００２２】
１……レーザダイオード駆動回路、２……伝送線路、３……レーザダイオード、Ｃ１……容量、Ｒ１……抵抗。
【図１】
2006179575.tif 000003
【図２】
2006179575.tif 000004
【図３】
2006179575.tif 000005
【図４】
2006179575.tif 000006
【図５】
2006179575.tif 000007
【図６】
2006179575.tif 000008
【図７】
2006179575.tif 000009